(57)【要約】【課題】 マルチパネルを有すると共に駆動回路を簡素化したマルチパネル表示装置及びその駆動方法を提供する。【解決手段】マルチパネル表示装置は、データラインDL1〜DLmが共通に連結される複数の表示パネル41A〜41Ｉと、データを時分割して前記データラインに供給するデータ駆動部40とを備える。また、マルチパネル表示装置は、各々のスキャンラインSLA1...を備える表示パネル41A〜41Ｉに対応して、独立的にスキャンパルスを供給する各々のスキャン駆動部42A〜42Ｉを備え、データ駆動部40及び複数のスキャン駆動部42A〜42Iを制御するタイミング制御部43を備える【選択図】図６
2006031028.tif 000002
【特許請求の範囲】
【請求項１】
データラインが共通に連結される複数の表示パネルと、データを時分割して前記データラインに供給するデータ駆動部とを備えることを特徴とするマルチパネル表示装置。
【請求項２】
Ｎ個（ただし、Ｎは正の整数）の表示パネルと、ｎ個（ただし、ｎはＮより小さい正の整数）の表示パネルのデータラインが共通に連結されたＮ/ｎ個の表示パネルグループと、Ｎ/ｎ個の表示パネルグループの各々からデータを時分割して前記データラインに供給するデータ駆動部とを備えることを特徴とするマルチパネル表示装置。
【請求項３】
前記表示パネルは、有機電界発光表示パネルであることを特徴とする請求項１または請求項２に記載のマルチパネル表示装置。
【請求項４】
前記複数の表示パネルは、前記データラインと交差する各々のスキャンラインを備えることを特徴とする請求項１または請求項２に記載のマルチパネル表示装置。
【請求項５】
前記スキャンラインを前記複数の表示パネルの各々に対応して独立的に駆動するスキャン駆動部をさらに備えることを特徴とする請求項４に記載のマルチパネル表示装置。
【請求項６】
前記スキャン駆動部は、前記表示パネルの一側に位置し、スキャンラインの所定のスキャンラインを駆動する奇数のスキャン駆動部と、前記表示パネルの他側に位置し、スキャンラインの残りのスキャンラインを駆動する偶数のスキャン駆動部とを備えることを特徴とする請求項５に記載のマルチパネル表示装置。
【請求項７】
各々複数のデータラインと複数のスキャンラインが交差され、前記スキャンラインが共通に連結される複数の表示パネルと、前記スキャンラインにスキャンパルスを供給するスキャン駆動部とを備えることを特徴とするマルチパネル表示装置。
【請求項８】
Ｎ個（ただし、Ｎは正の整数）の表示パネルと、ｎ個（ただし、ｎはＮより小さい正の整数）の表示パネルのスキャンラインが共通に連結されたＮ/ｎ個の表示パネルグループと、Ｎ/ｎ個の表示パネルグループの各々からスキャンパルスを前記スキャンラインに供給するスキャン駆動部とを備えることを特徴とするマルチパネル表示装置。
【請求項９】
前記表示パネルは、有機電界発光表示パネルであることを特徴とする請求項７または請求項８に記載のマルチパネル表示装置。
【請求項１０】
前記複数の表示パネルは、前記スキャンラインと交差する各々のデータラインを備えることを特徴とする請求項７または請求項８に記載のマルチパネル表示装置。
【請求項１１】
前記データラインを前記複数の表示パネルの各々に対応して独立的に駆動するデータ駆動部をさらに備えることを特徴とする請求項１０に記載のマルチパネル表示装置。
【請求項１２】
複数の表示パネルでデータラインを共通に連結する段階と、データを時分割して前記データラインに供給する段階とを含むことを特徴とするマルチパネル表示装置の駆動方法。
【請求項１３】
Ｎ個（ただし、Ｎは正の整数）の表示パネルのデータラインをｎ個（ただし、ｎはＮより小さい正の整数）の表示パネルの単位で共通に連結して、Ｎ/ｎ個の表示パネルグループを設ける段階と、Ｎ/ｎ個の表示パネルグループの各々からデータを時分割して、前記データラインに供給する段階とを含むことを特徴とするマルチパネル表示装置の駆動方法。
【請求項１４】
前記時分割されたデータに対応して前記複数の表示パネルのうちの何れか一つをスキャニングする段階をさらに含むことを特徴とする請求項１２または請求項１３に記載のマルチパネル表示装置の駆動方法。
【請求項１５】
複数の表示パネルでスキャンラインを共通に連結する段階と、スキャンパルスを前記スキャンラインに供給する段階とを含むことを特徴とするマルチパネル表示装置の駆動方法。
【請求項１６】
Ｎ個（ただし、Ｎは正の整数）の表示パネルのスキャンラインをｎ個（ただし、ｎはＮより小さい正の整数）の表示パネルの単位で共通に連結して、Ｎ/ｎ個の表示パネルグループを設ける段階と、Ｎ/ｎ個の表示パネルグループの各々からスキャンパルスを前記スキャンラインに供給する段階とを含むことを特徴とするマルチパネル表示装置。
【請求項１７】
前記スキャンパルスに対応して前記複数の表示パネルにデータを供給する段階をさらに含むことを特徴とする請求項１５または請求項１６に記載のマルチパネル表示装置の駆動方法。
【発明の詳細な説明】
【技術分野】
【０００１】
本発明は、マルチパネル表示装置に関し、特にマルチパネルを有すると共に駆動回路を簡素化するようにしたマルチパネル表示装置及びその駆動方法に関する。
【背景技術】
【０００２】
最近、陰極線管の問題点である重さと容積とを減らせる各種平板表示装置が開発されている。平板表示装置としては、液晶表示装置（以下"LCD"と称する）、電界放出表示装置（FED）、プラズマディスプレイパネル（以下"PDP"と称する）及び電界発光（以下"EL"と称する）表示装置等がある。
【０００３】
ＰＤＰは、構造と製造工程が比較的に単純であるため、大画面化に最も有利ではあるが、発光効率と輝度が低いし、消費電力が大きいという問題点がある。ＬＣＤは主にノートブックコンピューターの表示素子として利用されるにつれて需要が増えつつあるが、大画面化が困難であり、バックライトユニットによって消費電力が大きいという問題点がある。
また、ＬＣＤは偏光フィルター、プリズムシート、拡散板等の光学素子によって光損失が多くて視野角が狭いという問題点を有する。反面、EL表示装置は無機ELと有機ELとで大別されるし、応答速度が速くて発光効率、輝度及び視野角が大きいという利点を有する。
また、有機EL表示素子は約１０[Ｖ]ぐらいの電圧で数万[ｃｄ/ｍ2]の高い輝度で画像を表示することができる。
【０００４】
有機EL表示装置は、マトリクス形態で有機ELセル（以下、"OLEDセル"と称する）が配置された表示パネルを備える。
【０００５】
図１は、有機ELセルを概略的に示す断面図である。
OLEDセルは、図１のように、グラス基板１上に透明導電性物質で構成される陽極２と、その上に積層された正孔注入層３、有機物質で形成される発光層４、電子注入層５及び金属で構成される陰極６を備える。
【０００６】
陽極２と陰極６との間に電流が流れると、正孔注入層３内の正孔と電子注入層５内の電子は各々発光層４の方に進行して発光層４で結合される。これに従って、発光層４は電子と正孔の結合によって励起及び遷移されて、その結果、可視光が放出される。
【０００７】
図２は、有機EL表示装置を示した回路図であり、図３は図２に図示された有機EL表示装置の駆動波形図である。
図２を参照すると、有機EL表示装置は交差するデータラインＤＬ１乃至ＤＬｍとスキャンラインＳＬ１乃至ＳＬｎと、その交差部ごとに形成されマトリクスで配列されたOLEDセル１０とを備える。
【０００８】
また、データラインＤＬ１乃至ＤＬｍに電流を供給するための定電流源１１と、スキャンラインＳＬ１乃至ＳＬｎの各々にアース電圧（ＧＮＤ）とスキャンハイ電圧を供給するためのスイッチ素子１２，１３とを備える。
【０００９】
スキャンラインＳＬ１乃至ＳＬｎに接続されたスイッチ素子１２，１３は、図３のように、一番目のスキャンラインＳＬ１からｎ番目のスキャンラインＳＬｎまでスキャンパルスSCANを順次に供給して、データが表示されるスキャンラインＳＬi(ここで、iは１乃至ｎのうち何れか一つの数)を選択する。このため、アース電圧源ＧＮＤに接続されたスイッチ素子１２は、第１制御信号Ｔ１に応じてターンオンされることによって、アース電圧のスキャンパルスSCANを選択されたスキャンラインＳＬ１乃至ＳＬｎに供給する。データパルスDATAは、スキャンパルスSCANに同期され、データラインＤＬ１乃至ＤＬｍに正極性電流に印加される。この際、スキャンハイ電圧源Ｖhighに接続されたスイッチ素子１３は、第２制御信号Ｔ２に応じてターンオンされることによって、スキャンハイ電圧のスキャンパルスを非選択スキャンラインに供給する。OLEDセル１０は、データラインＤＬ１乃至ＤＬｍにデータ電流が供給されると同時に、スキャンラインＳＬ１乃至ＳＬｎにアース電圧が印加される際に順方向のバイアスによって電流が流れて発光する。
【００１０】
このような有機EL表示装置は、低消費電力かつ高輝度の利点によって、ＬＣＤと共に平板表示装置として多くの分野に適用されている。
【００１１】
図４は、従来のマルチパネル表示装置の一例として、両方向パネルを有する表示装置の構成を示したブロック図である。
図４を参照すると、従来の両方向パネルを有する表示装置はＬＣＤモジュール２０と有機EL表示モジュール２１とを備える。
【００１２】
両方向パネルを有する表示装置のＬＣＤモジュール２０は、データラインＤＬ１１乃至ＤＬ１ｍとゲートラインＧＬ１１乃至ＧＬ１ｎと、その交差で定めた画素領域ごとに薄膜トランジスタ（以下、"TFT"と称する）及び液晶セルが形成された液晶表示パネル２２と、データラインＤＬ１１乃至ＤＬ１ｍにデータパルスを供給するデータ駆動部２６とゲートラインＧＬ１１乃至ＧＬ１ｎにゲートパルスを供給するゲート駆動部２８と、データ駆動部２６及びゲート駆動部２８を制御するタイミング制御部２４とを備える。
【００１３】
ＴＦＴは、ゲートラインＧＬ１１乃至ＧＬ１ｎからのゲートパルスに応じて、データラインＤＬ１１乃至ＤＬ１ｍ上のデータを液晶セルに供給する。
【００１４】
また、両方向パネルを有する表示装置の有機EL表示モジュール２１は、交差するデータラインＤＬ２１乃至ＤＬ２ｍとスキャンラインＳＬ２１乃至ＳＬ２ｎと、その交差部ごとにOLEDセルがマトリクスで配置された有機EL表示パネル２３と、データラインＤＬ２１乃至ＤＬ２ｍにデータパルスを供給するデータ駆動部２７と、スキャンラインＳＬ２１乃至ＳＬ２ｎにスキャンパルスを供給するスキャン駆動部２９と、データ駆動部２７及びスキャン駆動部２９を制御するタイミング制御部２５とを含む。
【００１５】
OLEDセルは、スキャンラインＳＬ１２乃至ＳＬ２ｎからのスキャンパルスに同期され、データラインＤＬ２１乃至ＤＬ２ｍにデータパルスが供給されると同時に電流が流れて発光する。
【００１６】
このように、両方向パネルを有する表示装置としてＬＣＤモジュール２０と有機EL表示モジュール２１を使用する場合、電圧、電流及び制御信号の最適条件が異なるため、駆動回路の各々を別個に制御する必要があり、これによる回路費用と消耗電力が大きいという問題点がある。
【００１７】
従来のマルチパネルを有する表示装置の他の例を図５に示した。
図５の両方向パネルを有する表示装置は、第１有機EL表示モジュール３０と第２有機EL表示モジュール３１とを備える。
【００１８】
図５を参照すると、両方向パネルを有する表示装置の第１及び第２有機EL表示モジュール３０、３１は、各々の交差するデータラインＤＬ１１乃至ＤＬ２ｍとスキャンラインＳＬ１１乃至ＳＬ２ｎと、その交差部ごとに形成され、マトリクスで配列されたOLEDセルとを備える。
【００１９】
両方向パネルを有する表示装置の第１有機EL表示モジュール３０は、第１有機EL表示パネル３２のデータラインＤＬ１１乃至ＤＬ１ｍにデータパルスを供給する第１データ駆動部３６と、スキャンラインＳＬ１１乃至ＳＬ１ｎにスキャンパルスを供給する第１スキャン駆動部３８及び第１データ駆動部３６と、第１スキャン駆動部３８に制御信号を供給する第１タイミング制御部３４とを含む。
【００２０】
また、両方向パネルを有する表示装置の第２有機EL表示モジュール３１は、第２有機EL表示パネル３３のデータラインＤＬ２１乃至ＤＬ２ｍにデータパルスを供給する第２データ駆動部３７と、スキャンラインＳＬ２１乃至ＳＬ２ｎにスキャンパルスを供給する第２スキャン駆動部３９及び第２データ駆動部３７と、第２スキャン駆動部３９に制御信号を供給する第２タイミング制御部３５とを含む。
【００２１】
ところで、図５のような従来の両方向パネルを有する表示装置として、第１及び第２有機EL表示モジュールを使用する場合にも、別個の駆動回路で第１及び第２表示パネルを駆動することによって、費用が上昇し、電力の消耗が増加する共に、両方向パネル表示装置の体積が増大される問題点がある。
【発明の開示】
【発明が解決しようとする課題】
【００２２】
従って、本発明の目的は、マルチパネルを有すると共に、駆動回路を簡素化するようにしたマルチパネル表示装置及びその駆動方法を提供することである。
【課題を解決するための手段】
【００２３】
上記目的を達成するために、本発明の実施形態のマルチパネル表示装置は、データラインが共通に連結される複数の表示パネルと、データを時分割して前記データラインに供給するデータ駆動部とを備えることを特徴とする。
【００２４】
本発明の実施形態のマルチパネル表示装置は、Ｎ個（ただし、Ｎは正の整数）の表示パネルと、ｎ個（ただし、ｎはＮより小さい正の整数）の表示パネルのデータラインが共通に連結されたＮ/ｎ個の表示パネルグループと、Ｎ/ｎ個の表示パネルグループの各々からデータを時分割して前記データラインに供給するデータ駆動部とを備えることを特徴とする。
【００２５】
前記表示パネルは、有機電界発光表示パネルであることを特徴とする。
前記複数の表示パネルは、前記データラインと交差する各々のスキャンラインを備えることを特徴とする。
【００２６】
前記表示パネル表示装置は、前記スキャンラインを前記複数の表示パネルの各々に対応して独立的に駆動するスキャン駆動部をさらに備えることを特徴とする。
【００２７】
前記スキャン駆動部は、前記表示パネルの一側に位置し、スキャンラインの所定のスキャンラインを駆動する奇数のスキャン駆動部と、前記表示パネルの他側に位置し、スキャンラインの残りのスキャンラインを駆動する偶数のスキャン駆動部とを備えることを特徴とする。
【００２８】
本発明の実施形態のマルチパネル表示装置は、各々複数のデータラインと複数のスキャンラインが交差され、前記スキャンラインが共通に連結される複数の表示パネルと、前記スキャンラインにスキャンパルスを供給するスキャン駆動部とを備えることを特徴とする。
【００２９】
本発明の実施形態のマルチパネル表示装置は、Ｎ個（ただし、Ｎは正の整数）の表示パネルと、ｎ個（ただし、ｎはＮより小さい正の整数）の表示パネルのスキャンラインが共通に連結されたＮ/ｎ個の表示パネルグループと、Ｎ/ｎ個の表示パネルグループの各々からスキャンパルスを前記スキャンラインに供給するスキャン駆動部とを備えることを特徴とする。
【００３０】
前記複数の表示パネルは、前記スキャンラインと交差する各々のデータラインを備えることを特徴とする。
前記マルチパネル表示装置は、前記データラインを前記複数の表示パネルの各々に対応して独立的に駆動するデータ駆動部をさらに備えることを特徴とする。
【００３１】
本発明の実施形態のマルチパネル表示装置の駆動方法は、複数の表示パネルでデータラインを共通に連結する段階と、データを時分割して前記データラインに供給する段階とを含むことを特徴とする。
【００３２】
本発明の実施形態のマルチパネル表示装置の駆動方法は、Ｎ個（ただし、Ｎは正の整数）の表示パネルのデータラインをｎ個（ただし、ｎはＮより小さい正の整数）の表示パネルの単位で共通に連結してＮ/ｎ個の表示パネルグループを設ける段階と、Ｎ/ｎ個の表示パネルグループの各々からデータを時分割して前記データラインに供給する段階とを含むことを特徴とする。
【００３３】
前記マルチパネル表示装置の駆動方法は、前記時分割されたデータに対応して前記複数の表示パネルのうちの何れか一つをスキャニングする段階をさらに含むことを特徴とする。
【００３４】
本発明の実施形態のマルチパネル表示装置の駆動方法は、複数の表示パネルでスキャンラインを共通に連結する段階と、スキャンパルスを前記スキャンラインに供給する段階とを含むことを特徴とする。
【００３５】
本発明の実施形態のマルチパネル表示装置の駆動方法は、Ｎ個（ただし、Ｎは正の整数）の表示パネルのスキャンラインをｎ個（ただし、ｎはＮより小さい正の整数）の表示パネルの単位で共通に連結してＮ/ｎ個の表示パネルグループを設ける段階と、Ｎ/ｎ個の表示パネルグループの各々からスキャンパルスを前記スキャンラインに供給する段階とを含むことを特徴とする。
【００３６】
前記マルチパネル表示装置の駆動方法は、前記スキャンパルスに対応して前記複数の表示パネルにデータを供給する段階をさらに含むことを特徴とする。
【発明の効果】
【００３７】
前述のように、本発明によるマルチパネル表示装置及びその駆動方法は、データラインを共有して駆動回路を簡素化することによって、消費電力の節減と全体装備の小形化とが可能になる。
【００３８】
また、本発明によるマルチパネル表示装置及びその駆動方法は、スキャンラインを共有して駆動回路を簡素化することによって、消費電力の節減と全体装備の小形化とが可能になる。
【００３９】
以上説明した内容を通じて、当業者であれば、本発明の技術思想を逸脱しない範囲で多様な変更及び修正が可能であるということがわかる。したがって、本発明の技術的範囲は、明細書の詳細な説明に記載された内容に限定されるものではなく、特許請求の範囲により決まらねばならない。
【発明を実施するための最良の形態】
【００４０】
以下、図６乃至図１３を参照して、本発明の好ましい実施例に対して説明する。
図６は、本発明の第１実施形態のマルチパネル有機EL表示装置の構成を示したブロック図であり、図７は、図６に示したマルチパネル有機EL表示装置の駆動波形図である。
【００４１】
図６を参照すると、本発明の第１実施形態のマルチパネル有機EL表示装置は、データラインＤＬ１乃至ＤＬｍが共有される複数の表示パネル４１A乃至４１Iを備える。
【００４２】
マルチパネル有機EL表示装置は、複数の表示パネル４１A乃至４１Iに共有されるデータラインＤＬ１乃至ＤＬｍに共通にデータパルスを供給するデータ駆動部４０を備える。
【００４３】
また、マルチパネル有機EL表示装置は、各々のスキャンラインSLA1乃至SLInを備える複数の表示パネル４１A乃至４１Iに対応して、独立的にスキャンパルスを供給する各々のスキャン駆動部４２A乃至４２Iを備え、データ駆動部４０及び複数のスキャン駆動部４２A乃至４２Iを制御するタイミング制御部４３を備える。
【００４４】
図７を参照すると、マルチパネル有機EL表示装置のデータ駆動部４０は、複数の表示パネル４１A乃至４１Iにデータを時分割して複数の表示パネル４１A乃至４１IのデータラインＤＬ１乃至ＤＬｍにデータパルスを供給する。
【００４５】
マルチパネル有機EL表示装置のタイミング制御部４３は、第１有機EL表示パネル４１Aの全てのスキャンラインＳＬA１乃至ＳＬAｎにスキャンパルスを供給する第１スキャン駆動部４２Aに制御信号ＣＳ１を供給する。第１スキャン駆動部４２Aに制御信号ＣＳ１が印加されると、第１スキャン駆動部４２Aは、第１有機EL表示パネル４１Aの一番目のスキャンラインＳＬA１からｎ番目のスキャンラインＳＬAｎまでスキャンパルスを順次に供給して、データが表示されるスキャンラインＳＬAi(ここで、iは１乃至ｎのうちの何れか一つの数)を選択する。第１有機EL表示パネル４１Aの全てのスキャンラインＳＬA１乃至ＳＬAｎにスキャンパルスが供給される時間の間、データ駆動部４０は、第１有機EL表示パネル４１Aの共有されるデータラインＤＬ１乃至ＤＬｍにデータパルスを供給する。
【００４６】
それから、マルチパネル有機EL表示装置のタイミング制御部４３は、第２乃至第９有機EL表示パネル４１Ｂ乃至４１Iの各々のスキャンラインＳＬＢ１乃至ＳＬIｎにスキャンパルスを供給する第２乃至第９スキャン駆動部４２Ｂ乃至４２Iの各々に制御信号ＣＳ２乃至ＣＳ９を順次に供給する。第２乃至第９スキャン駆動部４２Ｂ乃至４２Iを制御する信号ＣＳ２乃至ＣＳ９が、順次に第２乃至第９スキャン駆動部４２Ｂ乃至４２Iに印加されると、第２乃至第９スキャン駆動部４２Ｂ乃至４２Iは、接続された全てのスキャンラインＳＬＢ１乃至ＳＬIｎにスキャンパルスを順次に供給して、データが表示されるスキャンラインを選択する。
【００４７】
第２乃至第９有機EL表示パネル４１Ｂ乃至４１Iの各々に対応するスキャンラインＳＬＢ１乃至ＳＬIｎにスキャンパルスが供給される時間の間、マルチパネル有機EL表示装置のデータ駆動部４０は、第２乃至第９有機EL表示パネル４１Ｂ乃至４１Iの各々の共有されるデータラインＤＬ１乃至ＤＬｍにデータパルスを供給する。
【００４８】
図８は、本発明の第２実施形態のマルチパネル有機EL表示装置の構成を示したブロック図である。
【００４９】
図８を参照すると、マルチパネル有機EL表示装置の複数の表示パネル４５A乃至４５Iは各列ごとに共有されるデータラインＤＬ１１乃至ＤＬ３ｍを備える複数の表示パネルグループ４８A乃至４８Ｃを備え、複数の表示パネルグループ４８A乃至４８Ｃの各々に共有されるデータラインＤＬ１１乃至ＤＬ３ｍに共通にデータパルスを供給する複数のデータ駆動部４４A乃至４４Ｃを備える。
【００５０】
また、マルチパネル有機EL表示装置は、各々のスキャンラインＳＬA１乃至ＳＬIｎを備える複数の表示パネル４５A乃至４５Iを備え、複数の表示パネル４５A乃至４５Iの各々に対応して、独立的に各々のスキャンラインＳＬA１乃至ＳＬIｎにスキャンパルスを供給する複数のスキャン駆動部４６A乃至４６Iを備え、複数のデータ駆動部４４A乃至４４Ｃ及び複数のスキャン駆動部４６A乃至４６Iを制御するタイミング制御部４７を備える。
【００５１】
マルチパネル有機EL表示装置の第１データ駆動部４４Aは、第１表示パネルグループ４８Aの複数の表示パネル４５A乃至４５Ｃにデータを時分割して第１表示パネルグループ４８Aが共有するデータラインＤＬ１１乃至ＤＬ１ｍにデータパルスを供給する。
【００５２】
換言すると、マルチパネル有機EL表示装置のタイミング制御部４７は、第１有機EL表示パネル４５Aの全てのスキャンラインＳＬA１乃至ＳＬAｎにスキャンパルスを供給する第１スキャン駆動部４６Aに制御信号ＣＳ１１を供給する。第１スキャン駆動部４６Aに制御信号ＣＳ１１が印加されると、第１スキャン駆動部４６Aは、第１有機EL表示パネル４５Aの一番目のスキャンラインＳＬA１からｎ番目のスキャンラインＳＬAｎまでスキャンパルスを順次に供給してデータが表示されるスキャンラインＳＬAi(ここで、iは１乃至ｎのうちの何れか一つの数)を選択する。第１有機EL表示パネル４５Aの全てのスキャンラインＳＬA１乃至ＳＬAｎにスキャンパルスが供給される時間の間、第１データ駆動部４４Aは、第１表示パネルグループ４８Aの第１有機EL表示パネル４１Aの共有されるデータラインＤＬ１１乃至ＤＬ１ｍにデータパルスを供給する。
【００５３】
それから、マルチパネル有機EL表示装置のタイミング制御部４７は、第１表示パネルグループ４８Aの第２及び第３有機EL表示パネル４５Ｂ、４５Ｃの各々のスキャンラインＳＬＢ１乃至ＳＬＣｎにスキャンパルスを供給する第２及び第３スキャン駆動部４６Ｂ、４６Ｃに各々の制御信号ＣＳ１２及びＣＳ１３を順次に供給する。第２及び第３スキャン駆動部４６Ｂ、４６Ｃを制御する信号ＣＳ１２及びＣＳ１３が順次に第２及び第３スキャン駆動部４６Ｂ、４６Ｃに印加されると、第２及び第３スキャン駆動部４６Ｂ、４６Ｃは接続された全てのスキャンラインＳＬＢ１乃至ＳＬＣｎにスキャンパルスを順次に供給してデータが表示されるキャンラインを選択する。
【００５４】
第１表示パネルグループ４８Aの第２及び第３有機EL表示パネル４５Ｂ及び４５Ｃの各々のスキャンラインＳＬＢ１乃至ＳＬＣｎにスキャンパルスが供給される時間の間、第１データ駆動部４４Aは、第１表示パネルグループ４８Aの第２及び第３有機EL表示パネル４５Ｂ、４５Ｃの各々に共有されるデータラインＤＬ１１乃至ＤＬ１ｍにデータパルスを供給する。
【００５５】
同じ方法で、マルチパネル有機EL表示装置のタイミング制御部４７は、第２及び第３表示パネルグループ４８Ｂ、４８Ｃの第４乃至第９有機EL表示パネル４５Ｄ乃至４５Iの全てのスキャンラインＳＬＤ１乃至ＳＬIｎにスキャンパルスを供給する第４乃至第９スキャン駆動部４６Ｄ乃至４６Iに制御信号ＣＳ２１乃至ＣＳ３３を供給する。第４乃至第９スキャン駆動部４６Ｄ乃至４６Iに制御信号ＣＳ２１乃至ＣＳ３３が印加されると、第４乃至第９スキャン駆動部４６Ｄ乃至４６Iは、第４乃至第９有機EL表示パネル４５Ｄ乃至４５Iの全てのスキャンラインＳＬＤ１乃至ＳＬIｎにスキャンパルスが印加される時間の間、第２及び第３データ駆動部４４Ｂ、４４Ｃは第２及び第３表示パネルグループ４８Ｂ、４８Ｃに対応する各々の共有されるデータラインＤＬ２１乃至ＤＬ３ｍにデータパルスを供給する。
【００５６】
前述のように、各表示パネルグループが各々のデータラインを共有する場合、データラインを共有するパネルの数が増加されることによる輝度の低下の問題の補完が可能になる。
【００５７】
図９は、本発明の第３実施形態の両方向パネル有機EL表示装置を示したブロック図である。
図９を参照すると、本発明の第３実施形態の両方向パネル有機EL表示装置は第１有機EL表示モジュール６０と第２有機EL表示モジュール６１とを備える。
【００５８】
第１有機EL表示モジュール６０の第１有機EL表示パネル６２はデータラインＤＬ１乃至ＤＬｍと交差される第１スキャンラインＳＬ１１乃至ＳＬ１ｎを備える。
【００５９】
また、第２有機EL表示モジュール６１の第２有機EL表示パネル６３は、第１有機EL表示パネル６２から伸張されたデータラインＤＬ１乃至ＤＬｍと交差される第２スキャンラインＳＬ２１乃至ＳＬ２ｎを備える。
【００６０】
第１有機EL表示モジュール６０は、第１スキャンラインＳＬ１１乃至ＳＬ１ｎにスキャンパルスを供給する第１スキャン駆動部６４を備え、第２有機EL表示モジュール６１は第２スキャンラインＳＬ２１乃至ＳＬ２ｎにスキャンパルスを供給する第２スキャン駆動部６５を備える。
【００６１】
両方向パネル有機EL表示装置は、第１及び第２表示パネル６０，６１のデータラインＤＬ１乃至ＤＬｍにデータパルスを供給するデータ駆動部６６aと、データ駆動部６６a及び第１及び第２スキャン駆動部６４，６５を制御するデータ駆動部６６aと一体化されたタイミング制御部６６ｂとを備える。
【００６２】
両方向パネル有機EL表示装置のデータ駆動部６６aは、第１有機EL表示パネル６２及び第２有機EL表示パネル６３が共有するデータラインＤＬ１乃至ＤＬｍに供給するデータを時分割方法で供給する。
【００６３】
両方向パネル有機EL表示装置のタイミング駆動部６６ｂは、第１有機EL表示パネル６２の全てのスキャンラインＳＬ１１乃至ＳＬ１ｎにスキャンパルスを供給する第１スキャン駆動部６４に制御信号ＣＳ１を供給し、第１有機EL表示パネル６２の全てのスキャンラインＳＬ１１乃至ＳＬ１ｎにスキャンパルスが供給される時間の間、データ駆動部６６aは第１有機EL表示パネル６２の共有されるデータラインＤＬ１乃至ＤＬｍにデータパルスを供給する。
【００６４】
また、タイミング駆動部６６ｂは、第２有機EL表示パネル６３の全てのスキャンラインＳＬ２１乃至ＳＬ２ｎにスキャンパルスを供給する第２スキャン駆動部６５に制御信号ＣＳ２を供給し、第２有機EL表示パネル６３の全てのスキャンラインＳＬ２１乃至ＳＬ２ｎにスキャンパルスが供給される時間の間、データ駆動部６６aは第２有機EL表示パネル６３の共有されるデータラインＤＬ１乃至ＤＬｍにデータパルスを供給する。
【００６５】
図１０は、図９に示した両方向パネル有機EL表示装置がフォルダ携帯電話に適用された例を示したブロック図である。
【００６６】
図１０を参照すると、本発明によるフォルダ携帯電話において、第１有機EL表示パネル６０のデータラインＤＬ１乃至ＤＬｍは図示してないケーブルや可撓性印刷回路（Flexible Printed Circuit: "FPC"）を通じて第２有機EL表示パネル６１に連結される。
以下、第１有機EL表示パネル６２をフォルダ携帯電話のカバーに装着される表示装置として仮定し、第２有機EL表示パネル６３をフォルダ携帯電話でカバーがヒンジを経由して旋回が可能に結合される本体に装着される表示装置として仮定する。
【００６７】
図１０に示した第１及び第２有機EL表示モジュール６０，６１の第１スキャン駆動部６４及び第２スキャン駆動部６５は、図１０の第１及び第２表示パネル６２，６３の各々において、表示パネル６２，６３の両側に分離され実装されたチップで実現される。即ち、図９に第１スキャン駆動部６４及び第２スキャン駆動部６５の各々は、図１０の第１及び第２奇数のスキャン駆動部６４a、６５aと第１及び第２偶数のスキャン駆動部６４ｂ、６５ｂとで分離される。
【００６８】
第１有機EL表示パネル６２の左側に配置された第１奇数のスキャン駆動部６４aは、タイミング制御部６６ｂから第１左側制御信号ＣＳ１aが供給されると、第１有機EL表示パネル６２のスキャンラインＳＬ１１乃至ＳＬ１ｎの内、奇数ラインにスキャンパルスを供給し、右側に配置された第１奇数のスキャン駆動部６４ｂはタイミング制御部６６ｂから第１右側制御信号ＣＳ１ｂが供給されると、第１有機EL表示パネル６２のスキャンラインＳＬ１１乃至ＳＬ１ｎの内、偶数ラインにスキャンパルスを供給する。
【００６９】
また、第２有機EL表示パネル６３の左側に配置された第２奇数のスキャン駆動部６５aは、タイミング制御部６６ｂから第２左側制御信号ＣＳ２aが供給されると、第２有機EL表示パネル６３のスキャンラインＳＬ２１乃至ＳＬ２ｎの内、奇数ラインにスキャンパルスを供給し、右側に配置された第２偶数のスキャン駆動部６５ｂは、タイミング制御部６６ｂから第２右側制御信号ＣＳ２ｂが供給されると、第２有機EL表示パネル６３のスキャンラインＳＬ２１乃至ＳＬ２ｎの内、偶数ラインにスキャンパルスを供給する。
【００７０】
左・右側に第１及び第２奇数のスキャン駆動部６４a、６５aと第１及び第２偶数のスキャン駆動部６４ｂ、６５ｂを置いてスキャンラインＳＬ１１乃至ＳＬ２ｎにスキャンパルスを供給すると、配線の長さの短縮が可能になり、スキャンラインＳＬ１１乃至ＳＬ２ｎの電圧降下による波形の歪曲や画質の低下の問題解決が可能になる。
【００７１】
このように、データラインを共有するマルチパネル有機EL表示装置を具現する場合、従来の各々のスキャン駆動部とタイミング制御部を使用した場合より部品の数の低減ができるため、消費電力の低減と共にマルチパネルを有する表示装置の体積の縮小が可能であるという利点を有する。
【００７２】
図１１は、本発明の第４実施形態のマルチパネル有機EL表示装置の構成を示したブロック図であり、図１２は、図１１に示したマルチパネル有機EL表示装置の駆動波形図である。
【００７３】
図１１を参照すると、本発明の第４実施形態のマルチパネル有機EL表示装置はスキャンラインＳＬ１乃至ＳＬｎが共有される複数の表示パネル１４１A乃至１４１Iを備える。
【００７４】
マルチパネル有機EL表示装置は、複数の表示パネル１４１A乃至１４１Iに共有されるスキャンラインＳＬ１乃至ＳＬｎに共通にスキャンパルスを供給するスキャン駆動部１４２を備える。
【００７５】
また、マルチパネル有機EL表示装置は各々のデータラインＤＬA１乃至ＤＬIｍを備える複数の表示パネル１４１A乃至１４１Iに対応して独立的にデータを供給する各々のデータ駆動部１４０A乃至１４０Iを備え、スキャン駆動部１４２及び複数のデータ駆動部１４０A乃至１４０Iを制御するタイミング制御部１４３を備える。
【００７６】
図１２を参照すると、マルチパネル有機EL表示装置のスキャン駆動部１４２は、複数の表示パネル１４１A乃至１４１Iに共有されるスキャンラインＳＬ１乃至ＳＬｎにスキャンパルスを供給する。
【００７７】
マルチパネル有機EL表示装置のタイミング制御部１４３からスキャン駆動部１４２に制御信号ＣＳが印加されると、スキャン駆動部１４２は複数の表示パネル１４１A乃至１４１Iの全てのスキャンラインＳＬ１乃至ＳＬｎにスキャンパルスを供給する。
【００７８】
スキャン駆動部１４２に制御信号ＣＳが印加されると、図１２に示したように、スキャン駆動部１４２は複数の表示パネル１４１A乃至１４１Iの内、一番目の行の表示パネル１４１A乃至１４１Ｃの場合には、一番目のスキャンラインＳＬ１からｎ番目のスキャンラインＳＬｎまでスキャンパルスを順次に供給してデータが表示されるスキャンラインＳＬi(ここで、iは１乃至ｎのうちの何れか一つの数)を選択する。反面、スキャン駆動部１４２は複数の表示パネル１４１A乃至１４１Iの内、二番目の行の表示パネル１４１Ｄ乃至１４１Ｆの場合には、ｎ番目のスキャンラインＳＬｎから一番目のスキャンラインＳＬ１までスキャンパルスを順次に供給してデータが表示されるスキャンラインを選択する。
【００７９】
複数の表示パネル１４１A乃至１４１Iの全てのスキャンラインＳＬ１乃至ＳＬｎにスキャンパルスが供給される時間の間、タイミング制御部１４３は複数のデータ駆動部１４０A乃至１４０Iに制御信号ＣＤを供給し、複数のデータ駆動部１４０A乃至１４０Iは各々の対応する複数の表示パネル１４１A乃至１４１IのデータラインＤＬA１乃至ＤＬIｍにデータパルスを供給する。
【００８０】
図１３は、本発明の第４実施形態のマルチパネル有機EL表示装置の構成を示したブロック図である。
【００８１】
図１３を参照すると、マルチパネル有機EL表示装置の複数の表示パネル１４５A乃至１４５Ｆは各列ごとに共有されるスキャンラインＳＬ１１乃至ＳＬ２ｎを備える表示パネルグループ１４８A、１４８Ｂを備え、表示パネルグループ１４８A、１４８Ｂの各々に共有されるスキャンラインＳＬ１１乃至ＳＬ２ｎに共通にスキャンパルスを供給する表示パネルグループ１４８A、１４８Ｂの各々のスキャン駆動部１４６A、１４６Ｂを備える。
【００８２】
また、マルチパネル有機EL表示装置は各々のデータラインＤＬA１乃至ＤＬＦｎを備える複数の表示パネル１４５A乃至１４５Ｆを備え、複数の表示パネル１４５A乃至１４５Ｆの各々に対応して独立的に各々のデータラインＤＬA１乃至ＳＬＦｎにデータパルスを供給する各々のデータ駆動部１４４A乃至１４４Ｆを備え、スキャン駆動部１４６A乃至１４６Ｂ及び複数のデータ駆動部１４４A乃至１４４Ｆを制御するタイミング制御部１４７を備える。
【００８３】
マルチパネル有機EL表示装置の第１スキャン駆動部１４６Aは、第１表示パネルグループ１４８Aの複数の表示パネル１４５A乃至１４５Ｃにスキャンパルスを供給する。
【００８４】
マルチパネル有機EL表示装置のタイミング制御部１４７から第１スキャン駆動部１４６Aに制御信号ＣＳ１が印加されると、第１スキャン駆動部１４６Aは、第１表示パネルグループ１４８Aの複数の表示パネル１４５A乃至１４５Ｃに共有されるスキャンラインＳＬ１１乃至ＳＬ１ｎにスキャンパルスを供給する。
【００８５】
第１スキャン駆動部１４６Aに制御信号ＣＳ１が印加されると、スキャン駆動部１４６Aは第１有機EL表示パネル１４５Aの一番目のスキャンラインＳＬ１１からｎ番目のスキャンラインＳＬ１ｎまでスキャンパルスを順次に供給してデータが表示されるスキャンラインＳＬ１i(ここで、iは１乃至ｎのうちの何れか一つの数)を選択する。反面、第１スキャン駆動部１４４Aに制御信号ＣＳ１が印加されると、第２有機EL表示パネル１４５Ｂの場合にはｎ番目のスキャンラインＳＬ１ｎから一番目のスキャンラインＳＬ１１までスキャンパルスを順次に供給してデータが表示されるスキャンラインを選択する。
【００８６】
第１表示パネルグループ１４８Aの全てのスキャンラインＳＬ１１乃至ＳＬ１ｎにスキャンパルスが供給される時間の間、タイミング制御部１４７は、第１表示パネルグループ１４８Aの複数のデータ駆動部１４４A乃至１４４Ｃに制御信号ＣＤ１を供給する。第１表示パネルグループ１４８Aの複数のデータ駆動部１４４A乃至１４４Ｃに制御信号ＣＤ１が供給されると、複数のデータ駆動部１４４A乃至１４４Ｃは、各々の対応する第１表示パネルグループ１４８Aの複数の表示パネル１４５A乃至１４５Ｃの全てのデータラインＤＬA１乃至ＤＬＣｍにデータパルスを供給する。
【００８７】
同じ方法で、マルチパネル有機EL表示装置のタイミング制御部１４７から第２表示パネルグループ１４８Ｂの第２スキャン駆動部１４６Ｂに制御信号ＣＳ２が印加されると、第２スキャン駆動部１４６Ｂは、第２表示パネルグループ１４８Ｂの複数の表示パネル１４５Ｄ乃至１４５Ｆの共有されるスキャンラインＳ２１１乃至ＳＬ２ｎにスキャンパルスを供給する。
【００８８】
第２スキャン駆動部１４６Ｂに制御信号ＣＳ３が印加されると、スキャン駆動部１４６Ｂは、第４有機EL表示パネル１４５Ｄの一番目のスキャンラインＳＬ２１からｎ番目のスキャンラインＳＬ２ｎまでスキャンパルスを順次に供給してデータが表示されるスキャンラインＳＬ２i(ここで、iは１乃至ｎのうちの何れか一つの数)を選択する。反面、第２スキャン駆動部１４６Ｂに制御信号ＣＳ２が印加されると、第５有機EL表示パネル１４５Eの場合には、ｎ番目のスキャンラインＳＬ２ｎから一番目のスキャンラインＳＬ２１までスキャンパルスを順次に供給してデータが表示されるスキャンラインを選択する。
【００８９】
前述のように、各表示パネルグループが各々のスキャンラインを共有する場合、スキャンラインを共有するパネルの数が増加されて、電圧の降下によるスキャンパルス波形歪曲の問題の補完が可能になる。
【００９０】
このように、スキャンラインを共有するマルチパネル有機EL表示装置を具現する場合、従来の各々のスキャン駆動部とタイミング制御部を使用した場合より部品の数の低減ができるため、消費電力の低減と共にマルチパネルを有する表示装置の体積の縮小が可能であるという利点を有する。
【図面の簡単な説明】
【００９１】
【図１】有機電界発光セルを概略的に示す断面図である。
【図２】有機電界発光表示装置を示す回路図である。
【図３】図２に示した有機電界発光表示装置の駆動波形図である。
【図４】従来のマルチパネル表示装置の構成を示すブロック図である。
【図５】従来の他のマルチパネル表示装置の構成を示すブロック図である。
【図６】本発明の第１実施形態のマルチパネル有機電界発光表示装置の構成を示すブロック図である。
【図７】図６に示したマルチパネル有機電界発光表示装置の駆動波形図である。
【図８】本発明の第２実施形態のマルチパネル有機電界発光表示装置の構成を示すブロック図である。
【図９】本発明の第３実施形態のマルチパネル有機電界発光表示装置を示すブロック図である。
【図１０】図９に示したマルチパネル有機電界発光表示装置がフォルダ携帯電話に適用された例を示したブロック図である。
【図１１】本発明の第４実施形態のマルチパネル有機電界発光表示装置の構成を示すブロック図である。
【図１２】図１１に示したマルチパネル有機電界発光表示装置の駆動波形図である。
【図１３】本発明の第５実施形態のマルチパネル有機電界発光表示装置の構成を示すブロック図である。
【符号の説明】
【００９２】
４０，４４，１４０，１４４：データ駆動部
４１，４５，１４１，１４５：表示パネル
４２，４６，１４２，１４６：スキャン駆動部
４３，４７，１４３，１４７：タイミング制御部
【図１】
2006031028.tif 000003
【図２】
2006031028.tif 000004
【図３】
2006031028.tif 000005
【図４】
2006031028.tif 000006
【図５】
2006031028.tif 000007
【図６】
2006031028.tif 000008
【図７】
2006031028.tif 000009
【図８】
2006031028.tif 000010
【図９】
2006031028.tif 000011
【図１０】
2006031028.tif 000012
【図１１】
2006031028.tif 000013
【図１２】
2006031028.tif 000014
【図１３】
2006031028.tif 000015